(57)【特許請求の範囲】
【請求項１】
非直線ひずみを緩和する方法であって、
少なくとも１つのモバイル装置の最初のグループを、前記最初のグループからの電力制限情報に基づいて、割り当てられたスペクトルの内部のサブバンドにスケジュールし、
少なくとも１つのモバイル装置の次のグループを、前記次のグループからの電力制限情報に基づいて、前記内部のサブバンドをスケジュールした後に、前記割り当てられたスペクトルの残りの部分にスケジュールし、
チャネル選択性に部分的に基づいてサブバンドを選択する
ことを含み、
前記電力制御情報は、ＱｏＳレベルを備える、方法。
【請求項２】
一つ又は複数のモバイル装置から前記電力制限情報を受信することを更に含む、請求項１に記載の方法。
【請求項３】
前記電力制限情報は電力増幅器サイズを含む、請求項１に記載の方法。
【請求項４】
前記電力制限情報は、前記割り当てられたスペクトル、前記内部のサブバンド、端のサブバンド又は単一のベースノードのうちの少なくとも１つに割り当てるための最大の送信電力を含む、請求項２に記載の方法。
【請求項５】
前記電力制限情報は、端のサブバンド、内部のサブバンド又は単一のベースノードのうちの１つに対応する静的な差動電力ヘッドルーム（static differential power headroom）を含む、請求項２に記載の方法。
【請求項６】
前記最初のグループは、ほぼ最大の送信電力で送信する前記少なくとも１つのモバイル装置を備える、請求項１に記載の方法。
【請求項７】
前記次のグループは、実質的に最大の送信電力未満で送信する前記少なくとも１つのモバイル装置を備える、請求項１に記載の方法。
【請求項８】
一つ又は複数のモバイル装置との通信に少なくとも部分的に基づいて、電力制限情報を推論することを更に含む、請求項１に記載の方法。
【請求項９】
前記最初のグループは、制限された電力増幅器サイズを有する高いサービスの品質（ＱｏＳ）のモバイル装置を備える、請求項１に記載の方法。
【請求項１０】
前記高いＱｏＳのモバイル装置はセクタ端にある、請求項９に記載の方法。
【請求項１１】
前記最初のグループは、セクタ端にベストエフォートのモバイル装置を備え、前記ベストエフォートのモバイル装置は干渉制御によって抑制されない、請求項１に記載の方法。
【請求項１２】
前記次のグループは、干渉制御によって抑制されるベストエフォートの装置、大きな電力増幅器サイズを有する装置又は高い搬送波対干渉（Ｃ／Ｉ）比を有する装置の少なくとも１つを備える、請求項１に記載の方法。
【請求項１３】
ＱｏＳレベルを備える電力制限情報に少なくとも部分的に基づいて、電力制限を有する少なくとも１つのモバイル装置をスペクトルの内部のサブバンドにスケジュールし、電力制限の無い少なくとも１つのモバイル装置を前記スペクトルの残りの部分にスケジュールし、チャネル選択性に部分的に基づいてサブバンドを選択することに関連する命令を保持するメモリと、
前記メモリに結合され、前記メモリに保持される前記命令を実行するように構成された集積回路と
を備える、無線通信装置。
【請求項１４】
動的な電力増幅器バックオフを可能にする無線通信装置であって、
少なくとも１つのモバイル装置の最初のグループを、前記最初のグループからの電力制限情報に少なくとも部分的に基づいて、割り当てられたスペクトルの内部のサブバンドにスケジュールする手段と、
少なくとも１つのモバイル装置の次のグループを、前記次のグループからの電力制限情報に少なくとも部分的に基づいて、前記割り当てられたスペクトルの残りの部分にスケジュールする手段と、
前記電力制限情報に少なくとも部分的に基づいてサブバンドを選択する手段と、
を備え、
前記電力制限情報は、ＱｏＳレベルを備え、前記サブバンドを選択する手段はさらに、チャネル選択性に部分的に基づいている、無線通信装置。
【請求項１５】
一つ又は複数のモバイル装置から前記電力制限情報を受信する手段を更に備える、請求項１４に記載の無線通信装置。
【請求項１６】
前記電力制限情報は電力増幅器サイズを含む、請求項１４に記載の無線通信装置。
【請求項１７】
前記電力制限情報は、前記割り当てられたスペクトル、前記内部のサブバンド、端のサブバンド又は単一のベースノードのうちの少なくとも１つに割り当てるための最大の送信電力を含む、請求項１５に記載の無線通信装置。
【請求項１８】
前記電力制限情報は、端のサブバンド、内部のサブバンド又は単一のベースノードのうちの１つに対応する、静的な差動電力ヘッドルーム（static differential power headroom）を含む、請求項１５に記載の無線通信装置。
【請求項１９】
前記最初のグループは、ほぼ最大の送信電力で送信する前記少なくとも１つのモバイル装置を備える、請求項１４に記載の無線通信装置。
【請求項２０】
前記次のグループは、実質的に最大の送信電力未満で送信する前記少なくとも１つのモバイル装置を備える、請求項１４に記載の無線通信装置。
【請求項２１】
一つ又は複数のモバイル装置との通信に少なくとも部分的に基づいて前記電力制限情報を推論する手段を更に備える、請求項１４記載の無線通信装置。
【請求項２２】
前記最初のグループは、制限された電力増幅器サイズを有する高いサービスの品質（ＱｏＳ）のモバイル装置を備える、請求項１４に記載の無線通信装置。
【請求項２３】
前記高いＱｏＳのモバイル装置はセクタ端にある、請求項２２に記載の無線通信装置。
【請求項２４】
前記最初のグループは、セクタ端にベストエフォートのモバイル装置を備え、前記ベストエフォートのモバイル装置は干渉制御によって抑制されない、請求項１４に記載の無線通信装置。
【請求項２５】
前記次のグループは、干渉制御によって抑制されるベストエフォートの装置、大きな電力増幅器サイズを有する装置又は高い搬送波対干渉（Ｃ／Ｉ）比を有する装置のうちの少なくとも１つを備える、請求項１４に記載の無線通信装置。
【請求項２６】
コンピュータによって実行されると、前記コンピュータに、
ＱｏＳレベルを備える電力制限情報に少なくとも部分的に基づいて電力制限を有する少なくとも１つのモバイル装置をスペクトルの内部のサブバンドにスケジュールすることと、
電力制限の無い少なくとも１つのモバイル装置を前記スペクトルの残りの部分にスケジュールすることと、
チャネル選択性に部分的に基づいてサブバンドを選択することと
を含む方法を実行させるコードを格納した、非一時的なコンピュータ読み取り可能な媒体。
【請求項２７】
前記方法は、一つ又は複数の前記モバイル装置との通信に少なくとも部分的に基づいて前記電力制限情報を推論することを選択することを更に備える、請求項２６に記載のコンピュータ読み取り可能な媒体。
【請求項２８】
無線通信システムにおいて、
少なくとも１つのモバイル装置の最初のグループを、前記最初のグループから受信される電力制限情報に少なくとも部分的に基づいて、割り当てられたスペクトルの内部のサブバンドにスケジュールし、
少なくとも１つのモバイル装置の次のグループを、前記次のグループから受信される電力制限情報に少なくとも部分的に基づいて前記内部のサブバンドをスケジュールした後に、前記割り当てられたスペクトルの残りの部分にスケジュールする
ように構成された集積回路
を備え、
前記電力制限情報はＱｏＳレベルを備え、前記集積回路はさらに、チャネル選択性に部分的に基づいてサブバンドを選択するように構成される、装置。
【請求項２９】
前記集積回路は、一つ又は複数の前記モバイル装置との通信に少なくとも部分的に基づいて、電力制限情報を推論するように更に構成される、請求項２８記載の装置。
【請求項３０】
前記電力制限情報は、電力増幅器サイズを含む、請求項２８記載の装置。
【請求項３１】
前記電力制限情報は、前記割り当てられたスペクトル、前記内部のサブバンド、端のサブバンド又は単一のベースノードのうちの少なくとも１つに割り当てるための最大の送信電力を更に含む、請求項２９記載の装置。
【請求項３２】
前記電力制限情報は、端のサブバンド、内部のサブバンド又は単一のベースノードのうちの１つに対応する静的な差動電力ヘッドルーム（static differential power headroom）を含む、請求項２９記載の装置。
【請求項３３】
前記最初のグループは、ほぼ最大の送信電力で送信する前記少なくとも１つのモバイル装置を備える、請求項２８記載の装置。
【請求項３４】
前記次のグループは、実質的に最大の送信電力未満で送信する前記少なくとも１つのモバイル装置を備える、請求項２８記載の装置。
【請求項３５】
前記最初のグループは、制限された電力増幅器サイズを有する高いサービスの品質（ＱｏＳ）のモバイル装置を備える、請求項２８記載の装置。
【請求項３６】
前記高いＱｏＳのモバイル装置はセクタ端にある、請求項３５記載の装置。
【請求項３７】
前記最初のグループはセクタ端にベストエフォートのモバイル装置を備え、前記ベストエフォートのモバイル装置は干渉制御によって抑制されない、請求項２８記載の装置。
【請求項３８】
前記次のグループは、干渉制御によって抑制されるベストエフォートのモバイル装置、大きな電力増幅器サイズを有する装置又は高い搬送波対干渉（Ｃ／Ｉ）比を有する装置のうちの少なくとも１つを備える、請求項２８記載の装置。
【請求項３９】
コンピュータに請求項１乃至１２のうちのいずれか一項に記載の方法を実行させるプログラム。
【請求項４０】
コンピュータに請求項１乃至１２のうちのいずれか一項に記載の方法を実行させるプログラムを記録したコンピュータ読み取り可能な記憶装置。
【発明の詳細な説明】
【関連出願への相互参照】
【０００１】
本出願は、２００６年９月１１日に出願され、”A METHOD AND APPARATUS FOR DYNAMIC POWER AMPLIFIER (PA) BACKOFF（動的な電力増幅器（ＰＡ）バックオフの方法及び装置）”と題された、米国仮特許出願第６０／８４３，８９３号、及び２００７年９月１０日に出願され、”DYNAMIC POWER AMPLIFIER BACKOFF（動的な電力増幅器バックオフ）”と題された、米国特許出願第１１／８５２，５６５号の利益を主張する。前述の出願の全体が参照によって本明細書に組込まれる。
【技術分野】
【０００２】
以下の記載は、一般に無線通信に関し、特に、サブバンドスケジューリング及び電力増幅器バックオフに関する。
【背景技術】
【０００３】
無線ネットワーキングシステムは、世界的に大部分の人々が通信する一般的な手段となった。無線通信装置は、消費者のニーズを満たし、且つ可搬性及び便宜を改善するために、より小さく且つより強力になった。消費者は、携帯電話、パーソナルデジタルアシスタント（ＰＤＡ）などといった無線通信装置に依存するようになり、信頼できるサービス、カバレッジの拡張された領域、及び高められた機能性を要求している。
【０００４】
一般に、無線多元接続通信システムは、複数の無線端末あるいはユーザ装置のための通信を同時にサポートし得る。各端末は、順方向リンク及び逆方向リンク上の送信を介して一つ又は複数のアクセスポイントと通信する。順方向リンク（あるいはダウンリンク）はアクセスポイントから端末への通信リンクを指し、また逆方向リンク（あるいはアップリンク）は端末からアクセスポイントへの通信リンクを指す。
【０００５】
無線システムは、利用可能なシステムリソース（例えば、帯域幅及び送信電力）を共有することで、複数のユーザとの通信をサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムが含まれる。
【０００６】
概して、各アクセスポイントは、セクタと称される特定のカバレッジ領域内に位置する端末をサポートする。特定の端末をサポートするセクタは、サービングセクタ（serving sectors）と称される。特定の端末をサポートしていない他のセクタは、非サービングセクタ（non-serving sectors）と称される。セクタ内の端末には、複数の端末の同時のサポートを可能にすべく特定のリソースを割り当てることができる。しかしながら、近隣のセクタの端末による送信は調整されない。結果として、セクタ端における端末による送信は、端末性能の低下及び干渉を引き起こすことがある。
【発明の概要】
【０００７】
下記は、そのような実施形態の基本的な理解を提供するために、一つ又は複数の実施形態の簡略化された概要を提示する。この概要は、予期される実施形態全ての広範囲にわたる概要ではなく、全ての実施形態の重要なエレメント又は重大なエレメントを識別することも、実施形態の一部又は全ての範囲を描写することも意図されていない。その唯一の目的は、後に提示される、より詳細な記載の序文として、一つ又は複数の実施形態の幾つかの概念を簡略化された形で提示することである。
【０００８】
ある面によれば、スペクトルマスクマージン上の非直線ひずみを緩和する方法が本明細書に記載される。該方法は、モバイル装置の最初のグループを、該最初のグループからの電力制限情報に基づいて、割り当てられたスペクトルの内部のサブバンドにスケジュールすることを含むことができる。また、該方法は更に、モバイル装置の次のグループを、該次のグループからの電力制限情報に基づいて内部のサブバンドをスケジューリングした後、割り当てられたスペクトルの残りの部分にスケジュールすることを含むことができる。
【０００９】
別の面は、電力制限を有するモバイル装置をスペクトルの内部のサブバンドにスケジュールし、電力制限のないモバイル装置を該スペクトルの残りの部分にスケジュールすることに関連する命令を保持するメモリを備えることができる無線通信装置に関係がある。無線通信装置はまた、メモリに結合され、メモリに保持される命令を実行するように構成された集積回路を備えることができる。
【００１０】
また別の面は、動的な電力増幅器バックオフを可能にする無線通信装置に関連する。該装置は、モバイル装置の最初のグループを、該最初のグループからの電力制限情報に少なくとも部分的に基づいて、割り当てられたスペクトルの内部のサブバンドにスケジュールする手段を含むことができる。該装置は更に、モバイル装置の次のグループを、該次のグループからの電力制限情報に少なくとも部分的に基づいて、割り当てられたスペクトルの残りの部分にスケジュールする手段と、電力制限情報に少なくとも部分的に基づいてサブバンドを選択する手段とを備えることができる。
【００１１】
更に別の面は、コンピュータに、スペクトルの内部のサブバンドに電力制限を有するモバイル装置をスケジュールさせるコードを備えることができるコンピュータ読み取り可能な媒体に関係がある。該コンピュータ読み取り可能な媒体は更に、コンピュータに、電力制限の無いモバイル装置をスペクトルの残りの部分にスケジュールさせるコードを備えることができる。
【００１２】
別の面によれば、装置は、モバイル装置の最初のグループを、該最初のグループから受信される電力制限情報に少なくとも部分的に基づいて、割り当てられたスペクトルの内部のサブバンドにスケジュールし、また、モバイル装置の次のグループを、該次のグループから受信される電力制限情報に少なくとも部分的に基づいて内部のサブバンドにスケジュールした後に、割り当てられたスペクトルの残りの部分にスケジュールするように構成された集積回路を備えることができる。
【００１３】
また別の面によれば、電力増幅器バックオフを動的に調整することを容易にする方法が本明細書に記載される。該方法は、サブバンド割り当てを受信し、受信されたサブバンド割り当てに少なくとも部分的に基づいて電力増幅器バックオフを評価し、評価されたバックオフに従って電力増幅器を調整することを含むことができる。
【００１４】
本明細書に記載される別の面は、受信されたサブバンド割り当てに少なくとも部分的に基づいて、電力増幅器バックオフを評価し、評価されたバックオフに基づいて電力増幅器を変更することに関連する命令を保持するメモリを備えることができる無線通信装置に関連する。また、無線通信装置は、メモリに結合され、メモリに保持される命令を実行するように構成された集積回路を備えることができる。
【００１５】
また別の面は、スペクトルマスクマージンへの非直線ひずみの影響を緩和する無線通信装置に関連する。該装置は、サブバンド割り当てを受信する手段と、受信されたサブバンド割り当てに少なくとも部分的に基づいて電力増幅器バックオフを判定する手段とを備えることができる。また、該無線通信装置は、判定されたバックオフに従って電力増幅器を調整する手段を備えることができる。
【００１６】
更に別の面は、コンピュータに、サブバンド割り当てに少なくとも部分的に基づいて電力増幅器バックオフを評価させるコードを備えることができるコンピュータ読み取り可能な媒体に関連する。該コンピュータ読み取り可能な媒体は更に、コンピュータに、評価されたバックオフに従って電力増幅器を設定させるコードを備えることができる。
【００１７】
本明細書に記載される更なる面は、集積回路を備えることができる装置に関連する。集積回路は、基地局から受信されるサブバンド割り当てに少なくとも部分的に基づいて電力増幅器バックオフを判定するように構成されることができる。更に、集積回路は、判定された電力増幅器バックオフに従って電力増幅器を調整することができる。
【００１８】
前述の及び関連する目的の達成のために、１つ又は複数の実施形態は、以下に充分に記載され、特に特許請求の範囲で指摘される特徴を備える。以下の記載及び添付の図面は、１つ又は複数の実施形態の幾つかの例証となる面を詳細に述べる。しかしながら、これらの面は、種々の実施形態の原理が用いられ得る様々な方法のほんの一部を示すにすぎず、そのような面の全て及びそれらの均等物を含むことを意図される。
【図面の簡単な説明】
【００１９】
【図１】図１は、主題の開示の一面に従って動的な電力増幅器バックオフを容易にするシステムのブロック図である。
【図２】図２は、本明細書に提示された一つ又は複数の面に従ってサブバンドスケジューリングをサポートするチャネルツリー構造の図である。
【図３】図３は、本明細書に述べられた種々の面に従った無線通信システムの図である。
【図４】図４は、サブバンドスケジューリングに基づいて動的な電力増幅器バックオフを実施する無線通信システムの例の図である。
【図５】図５は、本明細書に提示された一つ又は複数の面に従った無線通信システムの図である。
【図６】図６は、電力制限の考察に基づいてサブバンドスケジューリングを容易にする方法論の例の図である。
【図７】図７は、サブバンドスケジュールに基づいて電力増幅器バックオフを調整することを容易にする方法論の例の図である。
【図８】図８は、送信のためにスケジュールされたサブバンド割り当てを取得することに関連して逆方向リンクで情報をシグナリングすることを容易にする方法論の例の図である。
【図９】図９は、電力増幅器バックオフ値を判定することを容易にするモバイル装置の例の図である。
【図１０】図１０は、電力制限情報に基づいてサブバンドスケジュールを生成することを容易にするシステムの例の図である。
【図１１】図１１は、本明細書に記載される種々のシステム及び方法と共に用いることができる無線ネットワーク環境の例の図である。
【図１２】図１２は、サブバンドスケジュールを生成することを容易にするシステムの例の図である。
【図１３】図１３は、電力増幅器バックオフ調整を容易にするシステムの例の図である。
【発明を実施するための形態】
【００２０】
ここで様々な実施形態は、同様の参照符号が全体を通して同様の要素を指すために用いられる図面を参照しつつ記載される。以下の記載では、説明の目的のために、多数の特定の詳細が１つ又は複数の実施形態の充分な理解を提供するために述べられる。しかしながら、そのような実施形態が、これらの特定の詳細なしに実行され得ることは明白であり得る。他の例において、周知の構造及び装置は、１つ又は複数の実施形態を記載することを容易にするために、ブロック図の形で示される。
【００２１】
本明細書で用いられるように、「コンポーネント」、「モジュール」、「システム」などの用語は、ハードウェア、ファームウェア、ハードウェアとソフトウェアとの組み合わせ、ソフトウェア、又は実行中のソフトウェアのいずれにしても、コンピュータ関連のエンティティ（entity）を指すことを意図されている。例えば、コンポーネントは、プロセッサで実行中の処理、プロセッサ、オブジェクト、実行可能な、実行中のスレッド、プログラム、及び／又はコンピュータであってよいが、これらに制限されるものではない。例として、コンピューティングデバイス上で実行中のアプリケーションと、当該コンピューティングデバイスとの両方が、コンポーネントになり得る。１つ又は複数のコンポーネントは実行中のスレッド及び／又は処理内に存在することができ、また、コンポーネントは、１つのコンピュータに配置されても、及び／又は、２台以上のコンピュータ間に分散されてもよい。また、これらのコンポーネントは、格納された様々なデータ構造を有する種々のコンピュータ読み取り可能な媒体から実行することができる。コンポーネントは、例えば１つ又は複数のデータパケット（例えば、ローカルなシステム、分散されたシステム中の別のコンポーネントとやり取りする１つのコンポーネントからのデータ、及び／又は信号を手段として他のシステムとインターネットといったネットワークを介してやり取りするコンポーネントからのデータ）を有する信号に従って、ローカルな処理及び／又は遠隔処理を介して通信してもよい。
【００２２】
更に、種々の実施形態が、モバイル装置に関連して本明細書に記載される。モバイルデバイスはまた、システム、加入者ユニット、加入者局、移動局、移動体、遠隔局、遠隔端末、アクセス端末、ユーザ端末、端末、無線通信装置、ユーザエージェント、ユーザ装置、又はユーザ機器（ＵＥ）と称されることができる。モバイル装置は、携帯電話、コードレス電話、セッション設定プロトコル（ＳＩＰ）電話、ワイヤレスローカルループ（ＷＬＬ）局、パーソナルデジタルアシスタント（ＰＤＡ）、無線接続能力を有するハンドヘルド装置、コンピューティングデバイス、又は無線モデムに接続された他の処理装置であってもよい。更に、種々の実施形態は、基地局に関連して本明細書に記述される。基地局はモバイル装置と通信するために用いられてもよく、また、アクセスポイント、ノードＢ若しくは何らかの他の用語で称されてもよい。
【００２３】
更に、本明細書に記載された種々の面又は特徴は、標準的なプログラミング及び／又はエンジニアリング技法を用いる、製造品、装置、及び／又は方法として実施され得る。本明細書で用いられる「製造品」という用語は、任意のコンピュータ読み取り可能な装置、搬送波、又は媒体からアクセス可能なコンピュータプログラムを包含することを意図される。例えば、コンピュータ読取り可能な媒体は、磁気記憶装置（例えば、ハードディスク、フロッピー（登録商標）ディスク、磁気ストリップ等）、光ディスク（例えば、コンパクトディスク（ＣＤ）、デジタルバーサタイルディスク（ＤＶＤ）等）スマートカード、及びフラッシュメモリ装置（例えば、ＥＰＲＯＭ、カード、スティック、キードライブ等）を含むことができるが、これらに限定されるものではない。また、本明細書に記載される種々の記憶媒体は、情報を格納するための、一つ又は複数の装置、及び／又は他の機械読み取り可能な媒体を表わすことができる。「機械読み取り可能な媒体」という用語は、データ及び／又は命令を格納し、含み、及び／又は伝えることができる、無線チャネル及び格種々の他の媒体を含むことができるが、これらに限定されるものではない。
【００２４】
本明細書に記載される技法は、多元接続通信システム、ブロードキャストシステム、無線ローカルエリアネットワーク（ＷＬＡＮ）等といった種々の無線通信システムに用いられ得る。「システム」及び「ネットワーク」という用語は、しばしば互換的に使用される。多元接続システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）等といった多元接続のスキームを利用してもよい。多元接続システムはまた、多元接続スキームの組み合わせ、例えば、ダウンリンクの用の一つ又は複数の多元接続スキーム及びアップリンク用の一つ又は複数の多元接続スキーム、を利用してもよい。
【００２５】
ＯＦＤＭＡは直交周波数分割多重（ＯＦＤＭ）を利用するが、これはマルチキャリアの多重化スキームである。ＳＣ−ＦＤＭＡは、ＬＦＤＭ（Localized Frequency Division Multiplexing）、ＩＦＤＭ（Interleaved FDM）、エンハンストＦＤＭ（ＥＦＤＭ）等を利用し得るが、これらは集合的にシングルキャリアＦＤＭ（ＳＣ−ＦＤＭ）と称される、異なるシングルキャリア多重化スキームである。ＯＦＤＭ及びＳＣ−ＦＤＭは、システム帯域幅を複数の（Ｋ個の）直交副搬送波に分割するが、これらはまた、トーン（tones）、ビン（bins）等と一般に称される。各副搬送波はデータで変調され得る。一般に、変調シンボルは、ＯＦＤＭを用いて周波数ドメインで、ＳＣ−ＦＤＭを用いて時間ドメインで送信される。ＬＦＤＭは連続的な副搬送波上でデータを送信し、ＩＦＤＭはシステム帯域幅にわたって分散された副搬送波上でデータを送信し、ＥＦＤＭは連続的な副搬送波のグループ上でデータを送信する。
【００２６】
ＯＦＤＭは、地球上の通信システムにおいて一般的なマルチパス効果と対抗する能力を含む、幾つかの望ましい特性を有する。しかしながら、ＯＦＤＭの主な不利益は、ＯＦＤＭ波形の高いピーク平均電力比（peak-to-average power ratio）（ＰＡＰＲ）、即ち、ＯＦＤＭ波形についての平均電力に対するピーク電力の比率が高くなり得ることである。高いＰＡＰＲは、副搬送波がデータと独立して変調されるとき、全ての副搬送波の考え得る同相の（あるいはコヒーレントな）追加に起因する。ＯＦＤＭ波形についての高いＰＡＰＲは望ましくなく、性能を低下させることがある。例えば、ＯＦＤＭ波形中の大きなピークは電力増幅器を非常に非線形な領域で動作させるか、あるいはおそらくクリップさせる（clip）が、これは次いで、信号品質を劣化させ得る相互変調ひずみ及び他のアーティファクトを引き起こすことがある。非線形性を回避するために、電力増幅器はピーク電力レベルよりも低い平均電力レベルにバックオフさせて動作される。電力増幅器をピーク電力からバックオフさせて動作させることによって、バックオフが４ｄＢから７ｄＢまで変動する場合、電力増幅器は過度のひずみを生成することなく、波形中の大きなピークを処理する（handle）ことができる。
【００２７】
ＳＣ−ＦＤＭ（例えば、ＬＦＤＭ）は、ＯＦＤＭと類似する、マルチパス効果に対するロバストネス（robustness）といった幾つかの望ましい特性を有する。更に、ＳＣ−ＦＤＭでは変調シンボルが時間ドメインで送信されるので、ＳＣ−ＦＤＭは高いＰＡＰＲを有しない。ＳＣ−ＦＤＭ波形のＰＡＰＲは、使用のために選択された信号のコンステレーション（constellation）（例えば、Ｍ−ＰＳＫ、Ｍ−ＱＡＭ等）の信号点（signal points）によって判定される。しかしながら、ＳＣ−ＦＤＭの時間ドメインの変調シンボルは、非平坦な（non-flat）通信チャンネルに起因してシンボル間干渉を受けやすい。受信されたシンボルに対して等化を行なって、シンボル間干渉の有害な影響を緩和してもよい。
【００２８】
ある面において、ＯＦＤＭ及びＳＣ−ＦＤＭ（例えば、ＬＦＤＭ）は所与のリンク（例えば、アップリンク）上の送信に使用され得る。一般に、ＯＦＤＭ波形のリンク効率は、ＳＣ−ＦＤＭ波形のそれを上回る。ＯＦＤＭのより高いリンク効率は、ＳＣ−ＦＤＭよりも大きなＯＦＤＭの電力増幅器バックオフによって相殺される。ＳＣ−ＦＤＭは、このようにＯＦＤＭに対して低いＰＡＰＲという利点を有する。高いＳＮ比（ＳＮＲ）を有するＵＥについては、ＯＦＤＭのリンクレベル利得は、ＳＣ−ＦＤＭのＰＡＰＲの利点を超過し得る。ＯＦＤＭとＳＣ−ＦＤＭとの両方を利用することによって、システムは、低いＳＮＲシナリオのＳＣ−ＦＤＭのＰＡＰＲの利点だけでなく、高いＳＮＲシナリオのＯＦＤＭのより高いリンク効率からも利益を得てもよい。
【００２９】
一般に、任意のＳＣ−ＦＤＭスキームをＯＦＤＭと共に用い得る。更に、ＯＦＤＭ及びＳＣ−ＦＤＭは、アップリンク、又はダウンリンク、又はアップリンクとダウンリンクとの両方に共同で用いられてもよい。明確にするために、以下の記載の多くは、アップリンクでＯＦＤＭ及びＬＦＤＭの共同使用を対象としている。
【００３０】
ここで図１を参照するに、図示されているのは、動的な電力増幅器バックオフを供給するシステム１００のブロック図である。システム１００は、少なくとも１つの基地局１０２と、基地局１０２のセクタによってサポートされる少なくとも１つのモバイル装置１０４とを備える。セクタという用語は、文脈によって、基地局及び／又は基地局によってカバーされる領域を指し得る。簡単にするため、単独の基地局及びモバイル装置が図示されている。しかしながら、システム１００は複数の基地局及びモバイル装置を備えることができる。基地局１０２は、モバイル装置１０４のサブバンドスケジュールを明示的に制御することができる。サブバンドスケジューリングは、特に、チャネル条件に応じてシステム周波数帯の制限の制限された領域にモバイル装置を適応的にスケジュールすることによって、マルチユーザダイバーシティ利得を可能にする。サブバンドサイズは、等しいグレードのサービススケジューリングを備えたセクタスループットの低下と同様に、高速で移動するモバイル装置の性能劣化も防ぐために、充分な周波数ダイバーシティを提供するべきである。小さなサブバンドはまた、サブバンドスケジューリングのトランキング効率（trunking efficiency）の損失という結果を招き得る（例えば、サブバンドが小さくなればなるほど、サブバンドごとに選択する候補のモバイル装置が少なくなる）。
【００３１】
一時的に図２に移ると、図示されているのは、ローカルホッピングを備えた例示のチャネルツリーである。一定のサブバンド内にスケジュールされ、サブバンド全体よりも少ない帯域幅割り当てを有するモバイル装置は、チャネル干渉ダイバーシティを最大限にするために、サブバンドにわたってローカルにホップする。図２において、各ベースノードは周波数中の１６の隣接するトーンにマッピングする。８つのベースノードの集まりはサブバンドにマッピングするが、これは１２８の隣接するトーンから成る。サブバンド内では、１６のトーンのグループ（即ち、ベースノード）が擬似乱数的な方法でホップする。サブバンドスケジューリングモードに加えて、ダイバーシティモードは有益となり得る。セクタは圧倒的に高速で移動するユーザ（例えば、ハイウェーをカバーするセクタ）にサービスすることができる。そのような場合、チャネルのベースノードは全帯域にわたってホップし得る
図１の参照に戻ると、概して、サブバンドスケジューリングをサポートするために、モバイル装置は、異なるサブバンドに関連する順方向リンクチャネル特性についてのフィードバックを提供するべきである。フィードバックの量は、フィードバックチャネルによって引き起こされる逆方向リンクのオーバヘッドに対する、サブバンドスケジューリングに起因する順方向リンクの性能における利得のバランスを保つべきである。適切なトレードオフは、サブバンドスケジューリングのフィードバックに加えて、他の逆方向リンク制御情報を伝達する、逆方向リンク制御チャネルの負荷に依存する。
【００３２】
主題の開示の１つの面によれば、モバイル装置１０４は基地局１０２へ電力制限情報（power limit information）を送信する。基地局１０２は、受信された電力制限情報を用いて、サブバンド上にモバイル装置１０４をスケジュールする。電力制限情報は、モバイル装置１０４の能力又は電力増幅器のサイズに関連する情報を含んでいてもよい。更に、電力制限情報は、異なるタイプの割り当てで利用され得る異なる電力レベルを含んでいてもよい。例えば、モバイル装置１０４は、内部のサブバンド（inner subband）において利用可能な１つの電力レベルを有し得る一方で、端のサブバンド（edge subband）で利用可能な別の電力レベルを有してもよい。モバイル装置１０４はまた、その割り当てが全帯域幅、内部のサブバンド、あるいは単独のベースノードにわたる場合、自身が達成できる最大限の電力を報告し得る。また、情報は、もしあれば干渉制約の影響を伝えることができる。更に、電力制限情報は、所与のセクタ若しくはセル内の位置、及び／又は１つを超えるセクタ若しくはセルに関連する位置情報を含むことができる。また、モバイル装置１０４によって送信される電力制限情報は、モバイル装置１０４によって経験された搬送波対干渉パラメータを含むことができる。図１は、基地局１０２へ電力制限情報を送信するモバイル装置１０４を示すが、基地局１０２はそのような情報をそのリンクから推論し（infer）得ること、及びモバイル装置１０４と通信し得ることが認識されるべきである。例えば、基地局１０２は、受信された電力レベル又は受信されたフィードバックを評価して、モバイル装置１０４に課された任意の電力制約を推論することができる。
【００３３】
基地局１０２は、電力制限情報を用いて、システム１００に利用可能なサブバンドへモバイル装置１０４をスケジュールする。主題の開示の１つの面によれば、基地局１０２は電力を制限されたモバイル装置を主に内部のサブバンドにスケジュールする。電力制限の無いモバイル装置は、残りのスペクトル上にスケジュールされる。サブバンドを選択するとき、基地局１０２は、サブバンドにわたるチャネル選択度に加えて、モバイル装置１０４の電力制限を考慮する。基地局１０２は、モバイル装置１０４に対して、モバイル装置１０４によって用いられるべきサブバンドを示す、スケジュール情報を送信する。
【００３４】
ここで図３を参照すると、無線通信システム３００は、本明細書に提示された種々の実施形態に従って例証される。システム３００は、複数のアンテナグループを含み得る基地局３０２を備える。例えば、１つのアンテナグループは、アンテナ３０４及び３０６を含み、別のグループはアンテナ３０８及び３１０を含み、更なるグループはアンテナ３１２及び３１４を含んでいてもよい。各アンテナグループについて２本のアンテナが図示されている。しかしながら、より多数のアンテナ、又はより少数のアンテナが各グループに用いられてもよい。当業者には認識されるであろうが、基地局３０２は、送信機チェーン（transmitter chain）及び受信器チェーン（receiver chain）を含み得るが、これらの各々が信号送信及び信号受信に関連付けられた複数のコンポーネント（例えば、プロセッサ、変調器、マルチプレクサ、復調器、デマルチプレクサ、アンテナ等）を更に備えることができる。
【００３５】
基地局３０２は、モバイル装置３１６及びモバイル装置３２２といった、一つ又は複数のモバイル装置と通信し得る。しかしながら、基地局３０２は、モバイル装置３１６及び３２２に類似する実質的に任意の数のモバイル装置と通信し得ることが認識されるべきである。モバイル装置３１６及び３２２は、例えば、携帯電話、スマートフォン、ラップトップ型コンピュータ、ハンドヘルド通信装置、ハンドヘルドコンピューティングデバイス、衛星ラジオ、全地球測位システム、ＰＤＡ、及び／又は、無線通信システム３００と通信するための任意の他の適当な装置とすることができる。図示のように、モバイル装置３１６は、アンテナ３１２及び３１４と通信中であるが、アンテナ３１２及び３１４は順方向リンク３１８でモバイル装置３１６に情報を送信し、逆方向リンク３２０でモバイル装置３１６から情報を受信する。更に、モバイル装置３２２は、アンテナ３０４及び３０６と通信中であり、アンテナ３０４及び３０６は順方向リンク３２４でモバイル装置３２２に情報を送信し、逆方向リンク３２６でモバイル装置３２２から情報を受信する。例えば、周波数分割二重（ＦＤＤ）システムにおいて、順方向リンク３１８は逆方向リンク３２０によって用いられるものとは異なる周波数帯を利用してもよく、順方向リンク３２４は逆方向リンク３２６によって用いられるものとは異なる周波数帯を用いてもよい。更に、時分割二重（ＴＤＤ）システムにおいて、順方向リンク３１８及び逆方向リンク３２０は共通の周波数帯を利用してもよく、また順方向リンク３２４及び逆方向リンク３２６は共通の周波数帯を利用してもよい。
【００３６】
それらが通信するように指定される領域及び／又はアンテナの各グループは、基地局３０２のセクタと称され得る。例えば、アンテナグループは、基地局３０２によってカバーされた領域のセクタ中のモバイル装置と通信するように設計され得る。順方向リンク３１８及び３２４での通信において、基地局３０２の送信アンテナは、ビーム形成（beamforming）を利用して、モバイル装置３１６及び３２２のための順方向リンク３１８及び３２４のＳＮ比を改善してもよい。また、基地局３０２がビーム形成を利用して、関連付けられたカバレッジ全体にわたってランダムに分散されたモバイル装置３１６及び３２２に送信する一方で、近隣のセル中のモバイル装置は、単一のアンテナを介してその全てのモバイル装置に送信する基地局と比較して、より少ない干渉を受け得る。一例によれば、システム３００は、複数のＭＩＭＯ（multiple-input multiple-output）通信システムであってもよい。更に、システム３００は、ＦＤＤ、ＴＤＤ、などといった通信チャンネル（例えば、順方向リンク、逆方向リンク．．．）を分割するために任意のタイプの二重化技法を利用し得る。
【００３７】
ここで図４に移ると、図示されているのは、電力制限の考察に基づいてサブバンドスケジューリングを実施する無線通信システム４００である。システム４００は、モバイル装置４０４（及び／又は、任意の数の異なるモバイル装置（図示せず））と通信する基地局４０２を備える。基地局４０２は順方向リンクチャネルでモバイル装置４０４に情報を送信し得る。更に、基地局４０２は逆方向リンクチャネルでモバイル装置４０４から情報を受信し得る。また、システム４００はＭＩＭＯシステムであってもよい。
【００３８】
システム４００は、スペクトルマスクマージン（spectrum mask margin）上の非直線ひずみ（non-linear distortion）の影響を低減する軽減技法を使用する。非直線ひずみは、例えば電子装置の入力と出力との間の非線形の関係の現象に関連する。一つの面によれば、関係のある非線形の関係は、電力増幅器に関連がある。
【００３９】
モバイル装置４０４は、電力制限インジケータ４１０と、バックオフ評価器４１２と、電力増幅器４１４とを備え得る。モバイル装置４０４の電力制限インジケータ４１０は、モバイル装置４０４に課される電力制約を反映する電力制限表示（indication）を判定する。モバイル装置４０４は基地局４０２へ電力制限表示を送信する。基地局４０２は、そのような情報をそのリンクから推論し、モバイル装置４０４と通信してもよいことが認識されるべきである。例えば、基地局４０２は、受信された電力レベル又は受信されたフィードバックを評価して、モバイル装置４０４に課された任意の電力制限を判定することができる。電力制限表示は、モバイル装置４０４の能力又は電力増幅器のサイズに関連する情報を含んでいてもよい。また、インジケータは、もしあれば、干渉制約の影響を伝えることができる。更に、電力制限情報は、所与のセクタ若しくはセル内の位置、及び／又は１つを超えるセクタ若しくはセルに関連する位置情報を含むことができる。また、モバイル装置４０４によって送信された電力制限情報は、モバイル装置４０４によって経験される搬送波対干渉パラメータを含むことができる。
【００４０】
基地局４０２は、モバイル装置４０４から電力制限表示を受信し、当該表示を用いてサブバンドスケジューリングを判定する。基地局４０２は、サブバンドセレクタ４０６とサブバンドスケジューラ４０８とを備える。サブバンドセレクタ４０６は、サブバンドにわたるチャネル選択性及びモバイル装置４０４の電力制限表示の考察に基づいて、サブバンドを選択する。サブバンドスケジューラ４０８は、モバイル装置４０４と基地局４０２によってサービスされる他のモバイル装置をスケジュールする。主題の開示の一面によれば、サブバンドスケジューラ４０８は、主に内部のサブバンドで電力制限を有するモバイル装置をスケジュールする。例えば、セクタ又はセルの端にある制限された電力増幅器のサイズを有する高いサービス品質（ＱｏＳ）のユーザは、内部のサブバンドにスケジュールされることができる。干渉制御（例えば、隣接するセクタから使用中のビットによって制限される、ユーザの送信電力）によって制約されない、セクタ又はセル端のベストエフォートのユーザも、スペクトル割当ての内部のサブバンドにスケジュールされることができる。更に、サブバンドスケジューラ４０８は、残りのスペクトル上で電力制限の無いモバイル装置をスケジュールする。例えば、干渉制御（例えば、隣接するセクタから使用中のビットによって制限されない、ユーザの送信電力）によって抑制される、セクタ又はセル端のベストエフォートのユーザは、電力制限されたユーザのスケジューリング後にスペクトルの残りの部分にスケジュールされることができる。また、高い搬送波対干渉（Ｃ／Ｉ）比を有するユーザだけでなく、大きな電力増幅器のサイズを有するユーザも割り当てられた残りのスペクトル上にスケジュールされることができる。高いＣ／Ｉを有するユーザは、割り当てられたスペクトルの中間の領域上にスケジュールされることに起因して、Ｃ／Ｉの更なる増加からの利益をわずかに得るにすぎないことがある。
【００４１】
内部のサブバンドとは、帯域幅の全体又はスペクトル割当ての端（edges）から遠ざかったサブバンドである。帯域外放射は、変調処理の結果として生じる帯域幅のすぐ外部の１つの周波数又は複数の周波数上の放射である。帯域外放射レベルは、割り当てによって及んだ総帯域幅及びスペクトル割当ての端へのこのスパンの近接（proximity）又はシステムの最大の帯域幅に依存する。概して、割り当てスパン（即ち、広範な割り当て）が大きければ大きいほど、帯域外放射レベルも高くなるであろう。また、端から遠く離れた割り当ては、低い帯域外放射レベルという結果をもたらす。帯域外放射レベルは、チャネル割当てに隣接した１ＭＨｚを超える総電力の関数として測定されてもよい。一例によれば、１ＭＨｚを超えて統合された総送信電力は−１３ｄＢｍを超過するべきでない。また、概して平均的に２３ｄＢｍで送信された電力の場合、スペクトルマスクは隣接した１ＭＨｚで約３０ｄＢの減衰を要求する。
【００４２】
スペクトルマスクマージンは、許可された放射レベルと実際の放射レベルとの間の差として定義される。スペクトルマスクマージン、Ｌｍａｓｋは、下記によって表現することができる。
【数１】
0005628259.tif 000002
【００４３】
この実例に従えば、Ｐｍａｓｋはマスク限界である。一例によれば、Ｐｍａｓｋは−１３ｄｂｍを超過するべきでない。ＰＴＸは総送信電力である。量
【数２】
0005628259.tif 000003
【００４４】
は電力増幅器出力における電力スペクトル密度を表わす。量
【数３】
0005628259.tif 000004
【００４５】
はチャネル割当てに隣接している１ＭＨｚである。正の値は、許可された放射レベルと実際の放射レベルとの間のマージンを示す。負の値は、許可された放射レベルを超過することを示す。
【００４６】
ユーザが大きなバックオフを用いる場合、又はユーザに小さな割り当てが与えられる場合、ユーザは、ＯＦＤＭＡシステムとＬＦＤＭＡシステムとの両方において端のサブバンドに適切なマージンを有する。ユーザが小さなバックオフを用いる状況では、ＬＦＤＭＡユーザが中間の割り当てを備えた小さな正のマージンを経験する一方で、ＯＦＤＭＡユーザは中間の割り当て及び大きな割り当てを備えた負のマージンを経験する。
【００４７】
中間か内部のサブバンド上で予定されるユーザのために、ユーザはＯＦＤＭＡシステム及びＬＦＤＭＡシステムの両方での低いバックオフで肯定的なマージンを経験する。中間又は内部のサブバンドにスケジュールされるユーザの場合、ユーザはＯＦＤＭＡシステムとＬＦＤＭＡシステムとの両方において低いバックオフで正のマージンを経験する。ユーザを中間のサブバンドにスケジュールすることで、ＯＦＤＭＡとＬＦＤＭＡとの双方は、たとえ双方が当該低いバックオフで動作することができることを示す０ｄＢのバックオフでも、充分なスペクトルマスクマージンを有する。従って、ＯＦＤＭＡのＰＡＰＲの不利益は、ユーザがスペクトル割当ての端から遠ざかってスケジュールされる場合、ＬＦＤＭＡに関してその出力効率には影響しない。
【００４８】
基地局４０２は、モバイル装置４０４に割り当て及びスケジュール情報を送信する。モバイル装置４０４は、スケジューリング情報に基づいた電力増幅器４１４用のバックオフを判定するバックオフ評器４１２を備える。モバイル装置４０４によって受信されたスケジューリング情報が、端のサブバンドにスケジュールされた中間の又は大きな割り当てを示す状況では、バックオフ評価器４１２は大きなバックオフを判定するだろう。概して、このバックは、スペクトルマスクへの同様のマージンを維持するためにＬＦＤＭＡシステムよりＯＦＤＭＡシステムは約２ｄＢ大きい必要がある。しかしながら、モバイル装置が中間か内部のサブバンドにスケジュールされることをサブバンドスケジューラ４０８が示す場合、バックオフ評価器４１２はスペクトルマスクへの適切なマーキングを維持するのに充分な低いバックオフを判定する。主題の開示の一面によれば、モバイル装置４０４が内部のサブバンドにスケジュールされる場合、バックオフ評価器４１２は電力増幅器４１４を調整して、より低いバックオフ（即ち、より高い送信電力）を用いる。端のサブバンドにスケジュールされたとき、電力増幅器４１４は、より高いバックオフ（即ち、より低い送信電力）で動作する。また、割り当ての幅は考慮に入れることができる。例えば、モバイル装置４０４が１６のキャリア（即ち、１つのベースノード）だけにわたってスケジュールされる場合、割り当てが隣接し、総帯域幅の狭い部分に広がるので、帯域外放射は低い。この状況においては、低いバックオフと高い送信電力を許容することができる。
【００４９】
ここで図５を参照すると、本明細書に提示される種々の面に係る無線通信システム５００が図示されている。システム５００は、無線通信信号を、互いに及び／又は一つ又は複数の端末５０４へ受信し、送信し、中継等する、一つ又は複数のアクセスポイント５０２を備えることができる。各基地局５０２は、複数の送信機チェーン及び受信器チェーンを備えることができ、例えば、各送受信アンテナについて一つ、その各々が同様に信号送信及び信号受信に関連付けられた複数のコンポーネント（例えば、プロセッサ、変調器、マルチプレクサ、復調器、デマルチプレクサ、アンテナ等）を含むことができる。端末５０４は、例えば、携帯電話、スマートフォン、ラップトップ型コンピュータ、ハンドヘルド通信装置、ハンドヘルドコンピューティングデバイス、衛星ラジオ、全地球測位システム、ＰＤＡ、及び／又は、無線システム５００で通信するための他の任意の適当な装置であり得る。また、各端末５０４は、ＭＩＭＯ（multiple input multiple output）システムに用いられるような、一つ又は複数の送信器チェーン及び受信器チェーンを備えることができる。送信器チェーンと受信器チェーンの各々は、当業者によって認識されるであろうように、信号送信及び信号受信に関連付けられた複数のコンポーネント（例えば、プロセッサ、変調器、マルチプレクサ、復調器、デマルチプレクサ、アンテナ等）を備えることができる。
【００５０】
図５に示されるように、各アクセスポイントは特定の地理的な領域５０６に通信カバレッジを提供する。「セル」という用語は、文脈に応じて、アクセスポイント及び／又はそのカバレッジ領域を指すことができる。システム容量を改善するために、アクセスポイントのカバレッジ領域を複数のより小さな領域（例えば、３つのより小さな領域５０８Ａ、５０８Ｂ及び５０８Ｃ）へ分割することができる。より小さな領域の各々は、それぞれのベーストランシーバサブシステム（ＢＴＳ）によってサービスされる。「セクタ」という用語は、文脈に応じて、ＢＴＳ及び／又はそのカバレッジ領域を指すことができる。セクタ化されたセルについては、当該セルの全てのセクタのためのベーストランシーバサブシステムは、概して当該セルのアクセスポイント内の同じ場所に配置される。
【００５１】
端末５０４は、概してシステム５００の全体にわたって分散される。各端末５０４は、固定されていても、移動可能であってもよい。各端末５０４は、任意の所与の瞬間に順方向リンク及び逆方向リンク上の一つ又は複数のアクセスポイント５０２と通信し得る。
【００５２】
集中型のアーキテクチャの場合、システムコントローラ５１０はアクセスポイント５０２と結合し、アクセスポイント５０２の調整及び制御を提供する。分散型のアーキテクチャの場合、アクセスポイント５０２は必要に応じて互いに通信し得る。システムコントローラ５１０などを経由したアクセスポイント間の通信は、バックホールシグナリング（backhaul signaling）と呼ぶことができる。
【００５３】
本明細書に記載される技法は、セクタ化されていないセルを備えるシステムだけでなく、セクタ化されたセルを備えるシステム５００にも用いられ得る。明確にするために、以下の記載はセクタ化されたセルを備えたシステムを対象とする。「アクセスポイント」という用語は、セルにサービスする固定された局だけでなく、セクタにサービスする固定された局についても総称的に用いられる。「端末」及び「ユーザ」という用語は互換的に使用される、また「セクタ」及び「アクセスポイント」という用語も互換的に使用される。サービングアクセスポイント／セクタは、端末が通信するアクセスポイント／セクタである。近隣のアクセスポイント／セクタは、端末が通信していないアクセスポイント／セクタである。
【００５４】
ブロードキャストされた干渉情報に基づいた逆方向リンク電力調整に関する方法論は、図６−図８を参照する。説明の単純さの目的のために、方法論は、一連の動作として示され、記載されるが、該方法論は動作の順序によって制限されず、一つ又は複数の実施形態によれば、幾つかの動作は、本明細書に記載及び図示されたものとは異なる順序及び／又は他の動作と同時に発生し得ることが理解され、認識されるべきである。例えば、当業者は、方法論が、例えば状態図におけるように、一連の相互に関連のある状態又は事象として代わりに表わされ得ることを理解し認識するだろう。更に、１つ又は複数の実施形態に係る方法論を実施するために、例証された動作の全てが要求されるわけではない。
【００５５】
図６に移ると、図示されているのは、無線通信システムにおける電力制限インジケータの考察に基づいてサブバンドにモバイル装置をスケジュールすることを容易にする方法論６００である。参照符号６０２では、電力制限インジケータが受信される。電力制限インジケータは、特に、電力増幅器のサイズ又は能力に関連する情報、もしあれば干渉制約の存在、所与のセクタ若しくはセル内の位置及び／又は１つを越えるセクタ若しくはセルに関する位置情報、又はモバイル装置によって経験される搬送波対干渉パラメータ（carrier-to-interference parameter）を含み得る。参照符号６０４では、サブバンドが選択される。選択は、モバイル装置の電力制限、サブバンドにわたるチャネル選択性などのうちの少なくとも１つに基づくことができる。参照符号６０６では、モバイル装置はサブバンドにスケジュールされる。スケジューリングは、受信された電力制限インジケータに基づく。例えば、電力制限されたユーザは内部のサブバンドにスケジュールされるが、電力制限の無いモバイル装置はスペクトル割当ての残りの部分にスケジュールされる。
【００５６】
図７に移ると、図示されているのは、電力制限及びサブバンドスケジューリング情報の考察に基づいて電力増幅器バックオフを調整することを容易にする方法論７００である。参照符号７０２では、電力制限インジケータが、基地局又はアクセスポイントへ送信される。電力制限インジケータは、特に、電力増幅器のサイズ又は能力に関する情報、もしあれば干渉制約の存在、所与のセクタ若しくはセル内の位置及び／又は１つを超えるセクタ若しくはセルに関する位置情報、及びモバイル装置若しくはアクセス端末によって経験される搬送波対干渉パラメータを含み得る。参照符号７０４では、サブバンドスケジューリング情報が受信される。サブバンドスケジューリング情報は、用いられるべき割り当てられたスペクトル内のサブバンドを含むことができる。例えば、スケジューリング情報は、内部のサブバンドが利用されるべきことを示すことができる。参照符号７０６では、電力増幅器に適用されるべき電力増幅器バックオフを評価するためにスケジューリング情報が使用される。例えば、スケジューリング情報が内部のサブバンドの利用を示す場合、低いバックオフが判定され得る。反対に、情報が端のサブバンドが利用されるべきことを示す場合、適当なスペクトルマスクマージンが維持されるように、高いバックオフが判定され得る。
【００５７】
図８を参照すると、図示されているのは、送信のためにスケジュールされたサブバンド割り当てを取得することに関してアップリンクで情報をシグナリングすること（signaling）を容易にする方法論８００である。８０２で、電力制限を含む情報が、逆方向リンクで基地局へ信号で送られてもよい。一例によれば、情報は要求の一部として送信されてもよい。しかしながら、特許請求の範囲に記載された主題はそのように制限されない。８０４で、サブバンド割り当てが基地局から取得され得るが、割り当ては、信号で送られた情報に少なくとも部分的に基づいて生成され得る。例えば、信号で送られた情報は、情報を信号で送っているユーザについてのスペクトルマスクマージンを判定するために基地局によって使用されてもよい。更に、基地局はサブバンド割り当てを与えること（yielding）に関してそのようなマージンを考慮してもよい。８０６で、トラヒックはサブバンド割り当てを用いることによって、逆方向リンク上で送信され得る。従って、逆方向リンク送信は、サブバンド割り当てで特定される、周波数、時間、レート等で実施され得る。
【００５８】
本明細書に記載される一つ又は複数の面によれば、推論は、電力制限を判定すること、どのユーザを内部のサブバンドにスケジュールするかを判定すること、適当な電力増幅器バックオフを判定すること等に関連して行なうことができることが認識されるであろう。本明細書で用いられるように、「推論する」こと又は「推論」という用語は、事象及び／又はデータを介して獲得されるような一組の観測から、システム、環境、及び／又はユーザの状態を推論すること、又は論証する処理を一般に指す。例えば、推論は、特定の状況（context）又は動作を識別するために用いることができ、あるいは、状態に関する確率分布を生成することができる。推論は確率的、即ち、事象及びデータの考察に基づいて所与の状態にわたる確立分布の計算であり得る。推論はまた、一組の事象及び／又はデータから、より高いレベルの自称を構成するために用いられる技法を指すことができる。そのような推論は、事象が密接に時間的に近接して相互に関連するか否か、並びに、事象及びデータは一つ又は幾つかの事象及びデータソースからもたらされるのか、一組の観測された事象及び／又は格納された事象データからの新たな事象又は動作の構成という結果をもたらす。
【００５９】
一例によれば、上記に提示された一つ又は複数の方法は、電力制限情報の考察に少なくとも部分的に基づいて、割り当てられたスペクトルのサブバンドにモバイル装置をスケジュールすることに関係する推論をすることを含むことができる。更なる例証として、推論は、サブバンドスケジュールの考察に基づいて電力増幅器バックオフを判定することに関連してなされてもよい。前述の例は本質的に例証であり、本明細書に記載される種々の実施形態及び／又は方法に関連してなし得る推論の数、又はそのような推論がなされる方法を制限することを意図しないことが認識されるであろう。
【００６０】
図９は、ブロードキャストされた干渉情報の考察に基づいて逆方向リンク電力を調整することを容易にする、モバイル装置９００の例証である。モバイル装置９００は、例えば受信アンテナ（図示せず）から信号を受信し、受信された信号に対して典型的な動作を行い（例えば、フィルタリングし、増幅し、ダウンコンバートする等）、調整された信号をデジタル化してサンプルを取得する受信器９０２を備える。受信器９０２は、例えばＭＭＳＥ受信器とすることができ、受信されたシンボルを復調し、それらをチャネル推定のためにプロセッサ９０６に供給することができる復調器９０４を備えることができる。プロセッサ９０６は、受信器９０２によって受信された情報を分析するための、及び／又は送信器９１６による送信のための情報を生成するための専用のプロセッサ、モバイル装置９００の１つ又は複数のコンポーネントを制御するプロセッサ、及び／又は、受信器９０２によって受信される情報を分析し、送信器９１６による送信のための情報を生成し、且つモバイル装置９００の１つ又は複数のコンポーネントを制御するプロセッサであることができる。
【００６１】
モバイル装置９００は更に、プロセッサ９０６に動作可能に結合され、送信されるべきデータ、受信されたデータ、使用可能なチャネルに関する情報、干渉強度及び／又は分析された信号に関連付けられたデータ、割り当てられたチャネルに関する情報、電力、レートなど、及び、チャネルを推定し、当該チャネル経由で通信するための任意の他の適当な情報を格納し得る、メモリ９０８を備えることができる。メモリ９０８は更に、（例えば、パフォーマンスベースの、キャパシティベース等の）チャネルを利用すること及び／又は推定することに関連付けられたアルゴリズム及び／又はプロトコルを格納することができる。
【００６２】
本明細書に記載されるデータストア（例えば、メモリ９０８）は、揮発性メモリ若しくは不揮発性メモリのいずれかとすることもでき、あるいは、揮発性メモリと不揮発性メモリとの両方を含むことができることが認識されるだろう。例として、不揮発性メモリは、読み出し専用メモリ（ＲＯＭ）、プログラマブルＲＯＭ（ＰＲＯＭ）、電気的にプログラム可能なＲＯＭ（ＥＰＲＯＭ）、電気的消去可能なＰＲＯＭ（ＥＥＰＲＯＭ）、又はフラッシュメモリを含むことができるが、これらに限定されない。揮発性メモリは、ランダムアクセスメモリ（ＲＡＭ）を含むことができるが、これは外部キャッシュメモリとして動作する。例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）、及びダイレクトラムバスＲＡＭ（ＤＲＲＡＭ）といった、多くの形式で使用可能であるが、これらに限定されない。主題の方法及びシステムのメモリ９０８は、これら及び任意の他の適当なタイプのメモリを含むことを意図されるが、これらに限定されない。
【００６３】
プロセッサ９０６は更に、モバイル装置９００の電力制限を判定する電力制限インジケータ９１０に動作可能に結合される。電力制限は、モバイル装置９００の電力増幅器サイズ又は能力に関連する情報を含み得る。また、インジケータは、もしあれば干渉制約の影響を伝えることができる。更に、電力制限情報は、所与のセクタ若しくはセル内の位置及び／又は１つを超えるセクタ若しくはセルに関する位置情報を含むことができる。更に、モバイル装置９０２によって送信される電力制限情報は、モバイル装置９０２によって経験される搬送波対干渉パラメータを含むことができる。電力制限インジケータ９１０は、送信器９１６を介して基地局又はアクセスポイントへ電力制限を送信する。更に、受信器９０２は、アクセスポイント又は基地局から受信されるサブバンドスケジューリング情報を利用して、モバイル装置９００の電力増幅器用の適当なバックオフを判定し得る、バックオフ評価器に結合される。モバイル装置９００はまた、例えば基地局、別のモバイル装置等へ信号（例えば、電力制限インジケータ）を送信する送信器９１６と変調器９１４とを更に備える。プロセッサ９０６とは別個のものとして図示されているが、電力制限インジケータ９１０、バックオフ評価器９１２及び／又は変調器９１４は、プロセッサ９０６の一部であっても、又は多くのプロセッサ（図示せず）であってもよいことが認識されるべきである。
【００６４】
図１０は、ＰＧＲＣスキームを実施するＭＩＭＯシステムにおける順方向リンク送信を制御するのに必要なフィードバックの量を低減することを容易にするシステム１０００の例証である。システム１０００は、一つ又は複数のモバイル装置１００４から複数の受信アンテナ１００６を介して信号を受信する受信器１０１０を備える基地局１００２（例えば、アクセスポイント、．．．）と、送信アンテナ１００８を介して一つ又は複数のモバイル装置１００４に送信する送信器１０２４を備える。受信器１０１０は、受信アンテナ１００６から情報を受信することができ、また、受信された情報を復調する復調器１０１２に動作可能に関連付けられている。復調されたシンボルは、図９に関して上に記述されたプロセッサと類似し得るプロセッサ１０１４によって分析されるが、これは、信号（例えば、パイロット）強度及び／又は干渉強度の推定に関連する情報、モバイル装置１００４（あるいは異なる基地局（図示せず））に送信されるべきデータ若しくはモバイル装置１００４から受信されるべきデータ、及び／又は、本明細書に述べられた種々の動作及び機能を行なうことに関連する任意の他の適当な情報を格納するメモリ１０１６に結合される。プロセッサ１０１４は更に、サブバンドを選択するサブバンドセレクタ１０１８に結合される。サブバンドセレクタ１０１８は、サブバンドにわたるチャネル選択性及びモバイル装置の電力制限インジケータの考察に基づいてサブバンドを選択する。
【００６５】
サブバンドセレクタ１０１８は、サブバンドスケジューラ１０２０に結合される。サブバンドスケジューラ１０２０は、モバイル装置１００４から受信される電力制限情報の考察に基づいてモバイル装置１００４をスケジュールする。例えば、電力制限を有するモバイル装置は内部のサブバンドにスケジュールでされる一方で、電力制限の無いモバイル装置は割り当てられた残りのスペクトルの一部分にスケジュールされる。変調器１０２２は、モバイル装置１００４へのアンテナ１００８を介した送信器１０２４による送信のための制御情報を多重送信する（multiplex）ことができる。モバイル装置１００４は、図９を参照しつつ記載されたモバイル装置９００に類似していてもよく、また、電力増幅器バックオフを調整するためにサブバンドスケジュールを使用してもよい。主題の開示に従って他の機能を利用できることが認識されるべきである。プロセッサ１０１４とは別個のものとして図示されているが、サブバンドセレクタ１０１８、サブバンドスケジューラ１０２０及び／又は変調器１０２２は、プロセッサ１０１４の一部であっても、あるいは多くのプロセッサ（図示せず）であってもよい。
【００６６】
図１１は、例示の無線通信システム１１００を示す。無線通信システム１１００は、簡潔さのために、１つの基地局１１１０と１つのモバイル装置１１５０を示す。しかしながら、システム１１００は、１つを超える基地局及び／又は１つを超えるモバイル装置を備えてもよく、更なる基地局及び／又はモバイル装置は、以下に記載される例示の基地局１１１０及びモバイル装置１１５０に実質的に類似していても、異なっていてもよいことが認識されるべきである。また、基地局１１１０及び／又はモバイル装置１１５０は、本明細書に記載されるシステム（図１、図３−図５及び図９−図１０）及び／又は方法（図６−図８）を用いて、その間の無線通信を容易にし得ることが認識されるべきである。
【００６７】
基地局１１１０では、多くのデータストリーム用のトラヒックデータがデータソース１１１２から送信（ＴＸ）データプロセッサ１１１４に供給される。一例によれば、各データストリームは、それぞれのアンテナを介して送信されてもよい。ＴＸデータプロセッサ１１１４は、トラヒックデータストリームを、当該データストリームについて選択された特定のコーディングスキームに基づいて、フォーマットし、コード化し、またインタリーブして、コード化されたデータを供給する。
【００６８】
各データストリームのコード化されたデータは、直交周波数分割多重（ＯＦＤＭ）技法を用いて、パイロットデータと多重化され得る。更に又はあるいは、パイロットシンボルは、周波数分割多重化（ＦＤＭ）、時分割多重化（ＴＤＭ）、又は符号分割多重化（ＣＤＭ）され得る。パイロットデータは、概して、公知の方法で処理される公知のデータパターンであり、チャネル応答を推定するためにモバイル装置１１５０で使用されてもよい。各データストリームの多重化されたパイロット及びコード化されたデータは、当該データストリームについて選択された特定の変調スキーム（例えば、二位相偏移変調（ＢＰＳＫ）、４位相偏移変調（ＱＰＳＫ）、Ｍ位相偏移変調（Ｍ−ＰＳＫ）、Ｍ直交振幅変調など（Ｍ−ＱＡＭ）等）に基づいて変調され（例えば、シンボルマッピングされ）て、変調シンボルを供給し得る。各データストリームのデータレート、コーディング、及び変調は、プロセッサ１１３０によって供給又は実行される命令によって判定され得る。
【００６９】
データストリームの変調シンボルは、ＴＸ  ＭＩＭＯプロセッサ１１２０に供給され得るが、これは更に（例えば、ＯＦＤＭの）変調シンボルを処理し得る。次いで、ＴＸ  ＭＩＭＯプロセッサ１１２０は、ＮＴ個の変調シンボルストリームをＮＴ個のトランシーバ（ＴＭＴＲ／ＲＣＶＲ）１１２２ａ乃至１１２２ｔに供給する。種々の実施形態では、ＴＸ  ＭＩＭＯプロセッサ１１２０は、データストリームのシンボルに、及びシンボルが送信されているアンテナにビーム形成重みを適用する。
【００７０】
各トランシーバ１０２２は、それぞれのシンボルストリームを受信及び処理して、一つ又は複数のアナログ信号を供給し、更に当該アナログ信号を調整し（例えば、増幅し、フィルタリングし、またアップコンバートし）て、ＭＩＭＯチャネルでの送信に適当な変調された信号を供給する。更に、トランシーバ１１２２ａ乃至１１２２ｔからのＮＴ個の変調された信号は、それぞれＮＴ個のアンテナ１１２４ａ乃至１１２４ｔから送信される。
【００７１】
モバイル装置１１５０では、送信された変調された信号は、ＮＲ個のアンテナ１１５２ａ乃至１１５２ｒによって受信され、各アンテナ１１５２からの受信された信号は、それぞれのトランシーバ（ＴＭＴＲ／ＲＣＶＲ）１１５４ａ乃至１１５４ｒに供給される。各トランシーバ１１５４は、それぞれの信号を調整し（例えば、フィルタリングし、増幅し、またダウンコンバートし）、調整された信号をデジタル化してサンプルを供給し、サンプルを更に処理して、対応する「受信された」シンボルストリームを供給する。
【００７２】
ＲＸデータプロセッサ１１６０は、ＮＲ個のトランシーバ１１５４からのＮＲ個の受信されたシンボルストリームを、特定の受信器処理技法に基づいて受信及び処理して、ＮＴ個の「検知された」シンボルストリームを供給し得る。ＲＸデータプロセッサ１１６０は、検知されたシンボルストリームの各々を復調し、デインタリーブし、またデコードして、データストリーム用のトラヒックデータを回復し得る。ＲＸデータプロセッサ１１６０による処理は、基地局１１１０でのＴＸデータプロセッサ１１１４及びＴＸ  ＭＩＭＯプロセッサ１０２０によって行なわれるもの相補的である。
【００７３】
プロセッサ１１７０は、上記に議論されたように、どのプレコーディングマトリクスを利用するかを周期的に判定し得る。更に、プロセッサ１１７０は、ランク値部分及びマトリクスインデックス部分を含む逆方向リンクメッセージを公式化してもよい。
【００７４】
逆方向リンクメッセージは、通信リンク及び／又は受信されたデータストリームに関する種々のタイプの情報を含み得る。逆方向リンクメッセージは、データソース１１３６から多数のデータストリームのトラヒックデータも受信する、ＴＸデータプロセッサ１１３８によって処理され、変調器１１８０によって変調され、トランシーバ１１５４ａ乃至１１５４ｒによって調整され、また基地局１１１０へ送信され得る。
【００７５】
基地局１１１０では、モバイル装置１１５０からの変調された信号は、アンテナ１１２４によって受信され、トランシーバ１１２２によって調整され、復調器１１４０によって復調され、また、ＲＸデータプロセッサ１１４２によって処理されて、モバイル装置１１５０によって送信された逆方向リンクメッセージを抽出する。更に、プロセッサ１１３０は、抽出されたメッセージを処理して、ビーム形成重みを判定するためにどのプレコーディングマトリクスを用いるかを判定し得る。
【００７６】
プロセッサ１１３０及び１１７０は、それぞれ基地局１１１０及びモバイル装置１１５０における動作を指示し（例えば、制御し、調整し、管理する等）得る。それぞれのプロセッサ１１３０及び１１７０は、プログラムコード及びデータを格納するメモリ１１３２及び１１７２に関連付けることができる。プロセッサ１１３０及び１１７０はまた、それぞれアップリンク及びダウンリンクのための周波数応答及びインパルス応答の推定値を導くために計算を行なうことができる。
【００７７】
本明細書に記載された実施形態は、ハードウェア、ソフトウェア、ファームウェア、ミドルウェア、マイクロコード、又はこれらの任意の組み合わせによって実施され得ることが理解されるべきである。ハードウェアで実施する場合、処理ユニットは、一つ又は複数の特定用途向け集積回路（ＡＳＩＣ）、デジタル信号プロセッサ（ＤＳＰ）、デジタル信号処理装置（ＤＳＰＤ）、プログラム可能論理デバイス（ＰＬＤ）、フィールドプログラマブルゲートアレイ（ＦＰＧＡ）、プロセッサ、コントローラ、マイクロコントローラ、マイクロプロセッサ、本明細書に記載される機能を行なうように設計された他の電子ユニット、又はこれらの組み合わせの内で実施され得る。
【００７８】
実施形態が、ソフトウェア、ファームウェア、ミドルウェア若しくはマイクロコード、プログラムコード若しくはコードセグメントで実施される場合、それらは記憶コンポーネントといった機械読み取り可能な媒体に格納され得る。コードセグメントは、プロシージャ、関数、サブプログラム、プログラム、ルーチン、サブルーチン、モジュール、ソフトウェアパッケージ、クラス、又は、指示、データ構造若しくはプログラム文の任意の組み合わせを表わし得る。コードセグメントは、情報、データ、引き数、パラメータ又はメモリコンテンツを渡すこと及び／又は受け取ることによって、別のコードセグメント又はハードウェア回路に結合されてもよい。情報、引き数、パラメータ、データ等は、メモリシェアリング、メッセージパッシング、トークンパッシング、ネットワーク送信等を含む任意の適当な手段を用いて、渡され、転送され、又は送信されてもよい。
【００７９】
ソフトウェアでの実施の場合、本明細書に記載された技法は、本明細書に記載された機能を行なうモジュール（例えば、プロシージャ、関数など）で実施され得る。ソフトウェアコードはメモリユニットに格納され、プロセッサによって実行されてもよい。メモリユニットは、プロセッサ内に実装されても、プロセッサの外部に実装されてもよいが、その場合は、当技術分野で公知であるように、様々な手段を介してプロセッサに通信可能に結合されることができる。
【００８０】
図１２を参照すると、図示されているのは、複数のモバイル装置にブロードキャストされるべき干渉表示の生成を容易にするシステム１２００である。例えば、システム１２００は、基地局内に少なくとも部分的に存在し得る。システム１２００は、機能ブロックを含むものとして表わされているが、これらはプロセッサ、ソフトウェア、又はこれらの組み合わせ（例えば、ファームウェア）によって実施される機能を表わす機能ブロックであり得ることが認識されるべきである。システム１２００は、関連して動作することができる電子部品の論理的なグループ１２０２を備える。例えば、論理的なグループ１２０２は、電力制限されたモバイル装置１２０４をスケジュールする電子部品を備え得る。例えば、電力制限されたモバイル装置は、割り当てられたスペクトルの内部のサブバンドにスケジュールされてもよい。更に、論理的なグループ１２０２は、電力制限されないモバイル装置１２０６をスケジュールする電子部品を備え得る。例えば、電力制限の無いモバイル装置は、電力制限されたモバイル装置をスケジューリングした後、割り当てられたスペクトルの残りの部分に割り当てることができる。また、論理的なグループ１２０２は、サブバンドを選択する電子部品１２０８を備え得る。一例によれば、サブバンドは、サブバンドにわたるチャネル選択性と同様に、モバイル装置の電力制限の考察に基づいて選択することができる。更に、システム１２００は、電子部品１２０４、１２０６、及び１２０８に関連付けられた機能を実行する命令を保持するメモリ１２１０を備え得る。メモリ１２１０の外部にあるものとして図示されているが、電子部品１２０４、１２０６、及び１２０８のうちの１つ又は複数は、メモリ１２１０内に存在し得ることが理解されるべきである。
【００８１】
図１３に移ると、図示されているのは、逆方向リンクの電力を調整するシステム１３００である。システム１３００は、例えばモバイル装置内に存在し得る。図示されるように、システム１３００は、プロセッサ、ソフトウェア、又はこれらの組み合わせ（例えば、ファームウェア）によって実施される機能を表わし得る機能ブロックを含む。システム１３００は、順方向リンク送信を制御することを容易にする電子部品の論理的なグループ１３０２を備える。論理的なグループ１３０２は、サブバンドスケジュールを受信する電子部品１３０４を備え得る。例えば、サブバンドスケジュールは、端のサブバンド又は内部のサブバンドへの割り当てを示すことができる。更に、論理的なグループ１３０２は、電力増幅器バックオフを判定する電子部品１３０６を備え得る。例えば、電力増幅器バックオフは、受信されたサブバンドスケジュールに基づいて評価される。一つの面によれば、サブバンドスケジュールが端のサブバンド割り当てを示す場合、高い電力バックオフが判定され得る。サブバンドスケジュールが中間の（middle）サブバンド割り当てを示す場合、低いバックオフが判定され得る。更に、論理的なグループ１３０２は、電力増幅器バックオフを変更する電子部品１３０８を備え得る。サブバンドスケジュールを分析し、バックオフを評価した後に、電力増幅器は、許容できるスペクトルマスクマージンを維持しつつ、電力利用量を緩和するために調整することができる。また、システム１３００は、電子部品１３０４、１３０６、及び１３０８に関連付けられた機能を実行する命令を保持するメモリ１３１０を備え得る。メモリ１３１０の外部にあるものとして示されているが、電子部品１３０４、１３０６、及び１３０８はメモリ１３１０内に存在してもよいことが理解されるべきである。
【００８２】
上述されたものは、１つ又は複数の実施形態の例を含む。当然ながら、前述の実施形態を記載する目的のために、方法論又はコンポーネントのあらゆる考え得る組み合わせを記載することは不可能ではないが、当業者は、様々な実施形態の多くの更なる組み合わせ及び置換が可能であることを認識し得る。従って、記載された実施形態は、添付の特許請求の範囲の領域及び精神に含まれる、そのような変更、変形及びバリエーションを全て包含することを意図されている。更に、「含む（includes）」という用語が、詳細な説明又は請求項のいずれかの中で用いられる限り、そのような用語は、「備える（comprising）」が請求項において移行語として用いられるときに解釈されるように、「備える」という用語と同様の方法で包含的であることを意図される。
以下に本願発明の当初の特許請求の範囲に記載された発明を付記する。
［書類名］特許請求の範囲
［Ｃ１］
スペクトルマスクマージンの非直線ひずみを緩和する方法であって、
少なくとも１つのモバイル装置の最初のグループを、前記最初のグループからの電力制限情報に基づいて、割り当てられたスペクトルの内部のサブバンドにスケジュールし、
少なくとも１つのモバイル装置の次のグループを、前記次のグループからの電力制限情報に基づいて前記内部のサブバンドをスケジュールした後に、前記割り当てられたスペクトルの残りの部分にスケジュールする
ことを含む、方法。
［Ｃ２］
一つ又は複数のモバイル装置から電力制限情報を受信することを更に含む、Ｃ１に記載の方法。
［Ｃ３］
前記電力制限情報はＱｏＳレベル又は電力増幅器サイズを含む、Ｃ１記載の方法。
［Ｃ４］
前記電力制限情報は、前記割り当てられたスペクトル、前記内部のサブバンド、端のサブバンド又は単一のベースノードのうちの少なくとも１つにわたる割り当てのための達成可能な最大の送信電力を含む、Ｃ２に記載の方法。
［Ｃ５］
前記電力制限情報は、端のサブバンド、内部のサブバンド又は単一のベースノードのうちの１つに対応する静的な差動電力ヘッドルーム（static differential power headroom）を含む、Ｃ２に記載の方法。
［Ｃ６］
前記最初のグループは、ほぼ最大の送信電力で送信する装置を備える、Ｃ１に記載の方法。
［Ｃ７］
前記次のグループは、実質的に最大の送信電力未満で送信する装置を備える、Ｃ１に記載の方法。
［Ｃ８］
電力制限情報及びチャネル選択性に部分的に基づいてサブバンドを選択することを更に含む、Ｃ１に記載の方法。
［Ｃ９］
一つ又は複数のモバイル装置との通信に少なくとも部分的に基づいて、電力制限情報を推論することを更に含む、Ｃ１に記載の方法。
［Ｃ１０］
前記最初のグループは、制限された電力増幅器サイズを有する高いサービスの品質（ＱｏＳ）のモバイル装置を備える、Ｃ１の方法。
［Ｃ１１］
前記高いＱｏＳのモバイル装置はセクタ端にある、Ｃ１０の方法。
［Ｃ１２］
前記最初のグループは、セクタ端にベストエフォートのモバイル装置を備え、前記ベストエフォートのモバイル装置は干渉制御によって抑制されない、Ｃ１に記載の方法。
［Ｃ１３］
前記次のグループは、干渉制御によって抑制されるベストエフォートの装置、大きな電力増幅器サイズを有する装置又は高い搬送波対干渉（Ｃ／Ｉ）比を有する装置の少なくとも１つを備える、Ｃ１に記載の方法。
［Ｃ１４］
電力制限を有する少なくとも１つのモバイル装置をスペクトルの内部のサブバンドにスケジュールし、電力制限の無い少なくとも１つのモバイル装置を前記スペクトルの残りの部分にスケジュールすることに関連する命令を保持するメモリと、
前記メモリに結合され、前記メモリに保持される前記命令を実行するように構成されたた集積回路と
を備える、無線通信装置。
［Ｃ１５］
動的な電力増幅器バックオフを可能にする無線通信装置であって、
少なくとも１つのモバイル装置の最初のグループを、前記最初のグループからの電力制限情報に少なくとも部分的に基づいて、割り当てられたスペクトルの内部のサブバンドにスケジュールする手段と、
少なくとも１つのモバイル装置の次のグループを、前記次のグループからの電力制限情報に少なくとも部分的に基づいて、前記割り当てられたスペクトルの残りの部分にスケジュールする手段と、
電力制限情報に少なくとも部分的に基づいてサブバンドを選択する手段と、
を備える、無線通信装置。
［Ｃ１６］
一つ又は複数のモバイル装置から前記電力制限情報を受信する手段を更に備える、Ｃ１５の無線通信装置。
［Ｃ１７］
前記電力制限情報はＱｏＳレベル又は電力増幅器サイズを含む、Ｃ１５記載の無線通信装置。
［Ｃ１８］
前記電力制限情報は、前記割り当てられたスペクトル、前記内部のサブバンド、端のサブバンド又は単一のベースノードのうちの少なくとも１つにわたる割り当てのための達成可能な最大の送信電力を含む、Ｃ１６記載の無線通信装置。
［Ｃ１９］
前記電力制限情報は、端のサブバンド、内部のサブバンド又は単一のベースノードのうちの１つに対応する、静的な差動電力ヘッドルーム（static differential power headroom）を含む、Ｃ１６記載の無線通信装置。
［Ｃ２０］
前記最初のグループは、ほぼ最大の送信電力で送信する装置を備える、Ｃ１５の無線通信装置。
［Ｃ２１］
前記次のグループは、実質的に最大の送信電力未満で送信する装置を備える、Ｃ１５記載の無線通信装置。
［Ｃ２２］
サブバンドを選択する手段は、更にチャネル選択性に基づく、Ｃ１５記載の無線通信装置。
［Ｃ２３］
一つ又は複数のモバイル装置との通信に少なくとも部分的に基づいて前記電力制限情報を推論する手段を更に備える、Ｃ１５記載の無線通信装置。
［Ｃ２４］
前記最初のグループは、制限された電力増幅器サイズを有する高いサービスの品質（ＱｏＳ）のモバイル装置を備える、Ｃ１５記載の無線通信装置。
［Ｃ２５］
前記高いＱｏＳのモバイル装置はセクタ端にある、Ｃ２４記載の無線通信装置。
［Ｃ２６］
前記最初のグループは、セクタ端にベストエフォートのモバイル装置を備え、前記ベストエフォートのモバイル装置は干渉制御によって抑制されない、Ｃ１５の無線通信装置。
［Ｃ２７］
前記次のグループは、干渉制御によって抑制されるベストエフォートの装置、大きな電力増幅器サイズを有する装置又は高い搬送波対干渉（Ｃ／Ｉ）比を有する装置のうちの少なくとも１つを備える、Ｃ１５記載の無線通信装置。
［Ｃ２８］
コンピュータに、電力制限を有する少なくとも１つのモバイル装置をスペクトルの内部のサブバンドにスケジュールさせるコードと、
コンピュータに、電力制限の無い少なくとも１つのモバイル装置を前記スペクトルの残りの部分にスケジュールするコードと
を備える、コンピュータ読み取り可能な媒体。
［Ｃ２９］
コンピュータに、電力制限情報及びチャネル選択性に部分的に基づいてサブバンドを選択させるコードを更に備える、Ｃ２８記載のコンピュータ読み取り可能な媒体。
［Ｃ３０］
一つ又は複数のモバイル装置との通信に少なくとも部分的に基づいて前記電力制限情報を推論するコードを更に備える、Ｃ２９記載のコンピュータ読み取り可能な媒体。
［Ｃ３１］
無線通信システムにおいて、
少なくとも１つのモバイル装置の最初のグループを、前記最初のグループから受信される電力制限情報に少なくとも部分的に基づいて、割り当てられたスペクトルの内部のサブバンドにスケジュールし、
少なくとも１つのモバイル装置の次のグループを、前記次のグループから受信される電力制限情報に少なくとも部分的に基づいて前記内部のサブバンドをスケジュールした後に、前記割り当てられたスペクトルの残りの部分にスケジュールする
ように構成された集積回路
を備える、装置。
［Ｃ３２］
前記集積回路は、電力制限情報及びチャネル選択性に部分的に基づいてサブバンドを選択するように更に構成される、Ｃ３１記載の装置。
［Ｃ３３］
一つ又は複数のモバイル装置との通信に少なくとも部分的に基づいて、電力制限情報を推論することを更に備える、Ｃ３１記載の装置。
［Ｃ３４］
前記電力制限情報は、ＱｏＳレベル又は電力増幅器サイズを含む、Ｃ３１記載の装置。
［Ｃ３５］
前記電力制限情報は、前記割り当てられたスペクトル、前記内部のサブバンド、端のサブバンド又は単一のベースノードのうちの少なくとも１つにわたる割り当てのための達成可能な最大の送信電力を更に含む、Ｃ３３記載の装置。
［Ｃ３６］
前記電力制限情報は、端のサブバンド、内部のサブバンド又は単一のベースノードのうちの１つに対応する静的な差動電力ヘッドルーム（static differential power headroom）を含む、Ｃ３３記載の装置。
［Ｃ３７］
前記最初のグループは、ほぼ最大の送信電力で送信する装置を備える、Ｃ３１記載の装置。
［Ｃ３８］
前記次のグループは、実質的に最大の送信電力未満で送信する装置を備える、Ｃ３１記載の装置。
［Ｃ３９］
前記最初のグループは、制限された電力増幅器サイズを有する高いサービスの品質（ＱｏＳ）のモバイル装置を備える、Ｃ３１記載の装置。
［Ｃ４０］
前記高いＱｏＳのモバイル装置はセクタ端にある、Ｃ３９記載の装置。
［Ｃ４１］
前記最初のグループはセクタ端にベストエフォートのモバイル装置を備え、前記ベストエフォートのモバイル装置は干渉制御によって抑制されない、Ｃ３１記載の装置。
［Ｃ４２］
前記後のグループは、干渉制御によって抑制されるベストエフォートのモバイル装置、大きな電力増幅器サイズを有する装置又は高い搬送波対干渉（Ｃ／Ｉ）比を有する装置のうちの少なくとも１つを備える、Ｃ３１記載の装置。
［Ｃ４３］
電力増幅器バックオフを動的に調整することを容易にする方法であって、
サブバンド割り当てを受信し、
前記受信されたサブバンド割り当てに少なくとも部分的に基づいて電力増幅器バックオフを評価し、
前記評価されたバックオフに従って電力増幅器を調整する
ことを含む、方法。
［Ｃ４４］
電力制限情報を送信することを更に含む、Ｃ４３記載の方法。
［Ｃ４５］
前記電力制限情報は、ＱｏＳレベル又は電力増幅器サイズを含む、Ｃ４４記載の方法。
［Ｃ４６］
前記電力制限情報は、前記割り当てられたスペクトル、前記内部のサブバンド、端のサブバンド又は単一のベースノードのうちの少なくとも１つにわたる割り当てのための達成可能な最大の送信電力を更に含む、Ｃ４５記載の方法。
［Ｃ４７］
電力増幅器バックオフを評価することは、前記サブバンド割り当てが、割り当てられたスペクトルの内部のサブバンドへの割当てを示す場合、低いバックオフを判定することを含む、Ｃ４３記載の方法。
［Ｃ４８］
電力増幅器バックオフを評価することは、前記サブバンド割り当てが、割り当てられたスペクトルの端のサブバンドへの割当てを示す場合、高いバックオフを判定することを含む、Ｃ４３に記載の方法。
［Ｃ４９］
受信されたサブバンド割り当てに少なくとも部分的に基づいて、電力増幅器バックオフ評価し、前記評価されたバックオフに基づいて電力増幅器を変更することに関連する命令を保持するメモリと、
前記メモリに結合され、前記メモリに保持される前記命令を実行するように構成されたた集積回路と
を備える、無線通信装置。
［Ｃ５０］
スペクトルマスクマージン上の非直線ひずみを緩和する無線通信装置であって、
サブバンド割り当てを受信する手段と、
前記受信されたサブバンド割り当てに少なくとも部分的に基づいて電力増幅器バックオフを判定する手段と、
前記判定されたバックオフに従って電力増幅器を調整する手段と
を備える、無線通信装置。
［Ｃ５１］
電力制限情報を送信する手段を更に備える、Ｃ５０記載の無線通信装置。
［Ｃ５２］
前記電力制限情報は、ＱｏＳレベル又は電力増幅器サイズを含む、Ｃ５１記載の無線通信装置。
［Ｃ５３］
前記電力制限情報は、前記割り当てられたスペクトル、前記内部のサブバンド、端のサブバンド又は単一のベースノードのうちの少なくとも１つにわたる割り当てのための達成可能な最大の送信電力を更に含む、Ｃ５１記載の無線通信装置。
［Ｃ５４］
電力増幅器バックオフを判定する手段は、前記サブバンド割り当てが、割り当てられたスペクトルの内部のサブバンドへの割当てを示す場合、低いバックオフを判定することを備える、Ｃ５０記載の無線通信装置。
［Ｃ５５］
電力増幅器バックオフを判定することは、前記サブバンド割り当てが、割り当てられたスペクトルの端のサブバンドへの割当てを示す場合、高いバックオフを判定することを含む、Ｃ５０の無線通信装置。
［Ｃ５６］
コンピュータに、サブバンド割り当てに少なくとも部分的に基づいて電力増幅器バックオフを評価させるコードと、
コンピュータに、前記評価されたバックオフに従って電力増幅器を設定させるコードと  を備える、コンピュータ読み取り可能な媒体。
［Ｃ５７］
前記電力増幅器バックオフは、前記サブバンド割り当てが、割り当てられたスペクトルの内部のサブバンドへの指定を示す場合、低いバックオフを含む、Ｃ５６記載のコンピュータ読み取り可能な媒体。
［Ｃ５８］
前記電力増幅器バックオフは、前記サブバンド割り当てが、割り当てられたスペクトルの端のサブバンドへの指定を示す場合、高いバックオフを含む、Ｃ５６記載のコンピュータ読み取り可能な媒体。
［Ｃ５９］
無線通信システムにおいて、
基地局から受信されるサブバンド割り当てに少なくとも部分的に基づいて電力増幅器バックオフを判定し、
前記判定された電力増幅器バックオフに従って電力増幅器を調整する
ように構成された集積回路
を備える、装置。
［Ｃ６０］
前記電力増幅器バックオフは、前記サブバンド割り当てが、割り当てられたスペクトルの内部のサブバンドへの指定を示す場合、低いバックオフを含む、Ｃ５９記載の装置。
［Ｃ６１］
前記電力増幅器バックオフは、前記サブバンド割り当てが、割り当てられたスペクトルの端のサブバンドへの指定を示す場合、高いバックオフを含む、Ｃ５９記載の装置。
【図１】
0005628259.tif 000005
【図２】
0005628259.tif 000006
【図３】
0005628259.tif 000007
【図４】
0005628259.tif 000008
【図５】
0005628259.tif 000009
【図６】
0005628259.tif 000010
【図７】
0005628259.tif 000011
【図８】
0005628259.tif 000012
【図９】
0005628259.tif 000013
【図１０】
0005628259.tif 000014
【図１１】
0005628259.tif 000015
【図１２】
0005628259.tif 000016
【図１３】
0005628259.tif 000017